(57)【要約】【課題】解像度変換の性能が高い装置において解像度変換を行うことができる映像変換装置、記録媒体読取装置、映像再生装置及び映像再生情報送信方法を提供すること【解決手段】本発明にかかる映像変換装置１０は、映像再生装置３０において映像再生情報の再生可能な解像度を示す解像度情報と、映像再生装置３０における映像再生情報の解像度変換の性能を示す性能情報とを映像再生装置３０から取得する。性能情報に示される性能が、映像変換装置１０における映像再生情報の解像度変換の性能を下回っている場合、映像変換装置１０から取得した解像度情報と、映像変換装置１０において変換可能な解像度と、において共通する解像度に映像再生情報の解像度を変換するものである。【選択図】図１
2011119828.tif 000002
【特許請求の範囲】
【請求項１】
記録媒体に記録されている映像コンテンツ情報を映像再生装置に送信するための映像再生情報に変換する映像変換装置であって、
前記映像再生装置において前記映像再生情報の再生可能な解像度を示す解像度情報と、前記映像再生装置における前記映像再生情報の解像度変換の性能を示す性能情報とを当該映像再生装置から取得するデータ取得部と、
前記性能情報に示される性能が、前記映像変換装置における前記映像再生情報の解像度変換の性能を下回っている場合、前記映像再生装置から取得した解像度情報と、前記映像変換装置において変換可能な解像度と、において共通する解像度に前記映像再生情報の解像度を変換する変換部と、を備える映像変換装置。
【請求項２】
前記変換部は、前記性能情報に示されている性能が、前記映像変換装置における前記映像再生情報の解像度変換の性能を上回っている場合、前記映像再生情報の解像度を変換しない請求項１記載の映像変換装置。
【請求項３】
前記データ取得部が取得する性能情報には、解像度変換において超解像処理が実行されるか否かの情報が含まれ、
前記変換部は、
前記解像度変換において前記超解像処理が実行される解像度変換は、当該超解像処理が実行されない解像度変換と比較して、性能が上回っていると判定する、請求項１又は２記載の映像変換装置。
【請求項４】
前記解像度情報は、ＥＤＩＤの必須設定領域に含まれ、前記性能情報は、前記ＥＤＩＤの任意設定領域に含まれる、請求項１〜３のいずれか１項に記載の映像変換装置。
【請求項５】
記録媒体に記録されている映像コンテンツ情報を映像再生装置に送信するための映像再生情報に変換する映像変換装置であって、
前記映像再生装置において前記映像再生情報の再生可能な解像度を示す解像度情報と、前記映像再生情報の解像度変換を当該映像再生装置において実施するか否かを示す優先度情報とを当該映像再生装置から取得するデータ取得部と、
前記優先度情報に、前記映像再生装置において前記映像再生情報の解像度変換を実施することが設定されていない場合、前記映像再生装置から取得した解像度情報と、前記映像変換装置において変換可能な解像度と、において共通する解像度に前記映像再生情報の解像度を変換する変換部と、を備える映像変換装置。
【請求項６】
前記変換部は、前記優先度情報に、前記映像再生装置において前記映像再生情報の解像度変換を実施することが設定されている場合、当該映像再生情報の解像度を変換しない請求項５記載の映像変換装置。
【請求項７】
前記解像度情報は、ＥＤＩＤの必須設定領域に含まれ、前記優先度情報は、前記ＥＤＩＤの任意設定領域に含まれる、請求項５又は６記載の映像変換装置。
【請求項８】
前記映像再生装置において再生可能な解像度情報と、前記映像変換装置により変換可能な解像度とにおいて共通する解像度が複数存在する場合、前記映像再生情報を、当該共通する解像度のうち、最も高い解像度に変換する、請求項１〜７のいずれか１項に記載の映像変換装置。
【請求項９】
記録媒体に記録されている映像コンテンツ情報を読み出し、当該映像コンテンツ情報を映像再生情報に変換して映像再生装置に送信する記録媒体読取装置であって、
前記映像再生装置において前記映像再生情報の再生可能な解像度を示す解像度情報と、前記映像再生装置における前記映像再生情報の解像度変換の性能を示す性能情報とを当該映像再生装置から取得するデータ取得部と、
前記性能情報に示される性能が、前記記録媒体読取装置における前記映像再生情報の解像度変換の性能を下回っている場合、前記映像再生装置から取得した解像度情報と、前記映像送信装置において変換可能な解像度と、において共通する解像度に前記映像再生情報の解像度を変換し、当該変換された映像再生情報を当該映像再生装置に送信する送信部と、を備える記録媒体読取装置。
【請求項１０】
前記送信部は、前記性能情報に示される性能が、前記記録媒体読取装置における前記映像再生情報の解像度変換の性能を上回っている場合、前記映像再生情報の解像度を変換せずに当該映像再生情報を前記映像再生装置に送信する請求項９記載の記録媒体読取装置。
【請求項１１】
記録媒体に記録されている映像コンテンツ情報を読み出し、当該映像コンテンツ情報を映像再生情報に変換して映像再生装置に送信する記録媒体読取装置であって、
前記映像再生装置において前記映像再生情報の再生可能な解像度を示す解像度情報と、前記映像再生情報の解像度変換を当該映像再生装置において実施するか否かを示す優先度情報とを当該映像再生装置から取得するデータ取得部と、
前記優先度情報に、前記映像再生装置において前記映像再生情報の解像度変換を実施することが設定されていない場合、前記映像再生装置から取得した解像度情報と、前記記録媒体読取装置において変換可能な解像度と、において共通する解像度に前記映像再生情報の解像度を変換し、当該変換された映像再生情報を当該映像再生装置に送信する送信部と、を備える記録媒体読取装置。
【請求項１２】
前記送信部は、前記優先度情報に、前記映像再生装置において前記映像再生情報の解像度変換を実施することが設定されている場合、当該映像再生情報の解像度を変換せずに当該映像再生情報を前記映像再生装置に送信する請求項１１記載の記録媒体読取装置。
【請求項１３】
記録媒体読取装置において、記録媒体に記録されている映像コンテンツ情報が読み出され、当該映像コンテンツ情報から映像再生情報に変換された情報を取得する映像再生装置であって、
前記映像再生装置において再生可能な解像度を示す解像度情報と、前記映像再生装置における前記映像再生情報の解像度変換の性能を示す性能情報とを送信する送信部と、
前記映像再生装置の解像度変換の性能が、前記記録媒体読取装置の解像度変換の性能よりも優れている場合、前記記録媒体読取装置から取得する映像再生情報の解像度を、再生可能な解像度に変換し、当該変換された映像再生情報を再生する再生部と、を備える映像再生装置。
【請求項１４】
前記再生部は、前記映像再生装置の解像度変換の性能が、前記記録媒体読取装置の解像度変換の性能よりも劣っている場合、前記記録媒体読取装置において解像度変換された映像再生情報を再生する請求項１３記載の映像再生装置。
【請求項１５】
前記送信部は、
前記性能情報に、解像度変換において超解像処理を実行するか否かの情報を設定して送信し、
前記再生部は、
前記性能情報に超解像処理を実行することが設定されている場合、前記映像再生装置における解像度変換においては超解像処理を実行し、前記記録媒体読取装置における解像度変換においては超解像処理を実行しないことにより、前記映像再生装置の解像度変換の性能が、前記記録媒体読取装置の解像度変換の性能よりも優れていると、前記記録媒体読取装置において判定され、前記記録媒体読取装置から取得する映像再生情報の解像度を、再生可能な解像度に変換し、
前記性能情報に超解像処理を実行しないことが設定されている場合、前記映像再生装置における解像度変換においては超解像処理を実行せず、前記映像再生装置における解像度変換においては超解像処理を実行することにより、前記映像再生装置の解像度変換の性能が、前記記録媒体読取装置の解像度変換の性能よりも劣っていると、前記記録媒体読取装置において判定され、前記記録媒体読取装置において解像度変換された映像再生情報を再生する、請求項１３又は１４記載の映像再生装置。
【請求項１６】
前記送信部は、
前記解像度情報を、ＥＤＩＤの必須設定領域に設定し、前記性能情報を、前記ＥＤＩＤの任意設定領域に設定する、請求項１３〜１５のいずれか１項に記載の映像送信装置。
【請求項１７】
記録媒体読取装置において、記録媒体に記録されている映像コンテンツ情報が読み出され、当該映像コンテンツ情報から映像再生情報に変換された情報を取得する映像再生装置であって、
前記映像再生装置において再生可能な解像度を示す解像度情報と、前記映像再生情報の解像度変換を当該映像再生装置において実施するか否かを示す優先度情報と、を送信する送信部と、
前記優先度情報に、前記映像再生装置において解像度変換を実施することを設定した場合、前記記録媒体読取装置から取得する映像再生情報の解像度を、再生可能な解像度に変換し、当該変換された映像再生情報を再生する再生部と、を備える映像再生装置。
【請求項１８】
前記再生部は、前記優先度情報に、前記映像再生装置において解像度変換を実施することを設定しない場合、前記記録媒体読取装置において解像度変換された映像再生情報を再生する請求項１７記載の映像再生装置。
【請求項１９】
前記送信部は、
前記解像度情報を、ＥＤＩＤの必須設定領域に設定し、前記優先度情報を、前記ＥＤＩＤの任意設定領域に設定し、前記記録媒体読取装置に送信する請求項１７又は１８記載の映像再生装置。
【請求項２０】
記録媒体に記録されている映像コンテンツ情報を読み出し、当該映像コンテンツ情報を映像再生情報に変換して映像再生装置に送信する映像再生情報送信方法であって、
前記映像再生情報を再生可能な解像度を示す解像度情報と、前記映像再生装置における前記映像再生情報の解像度変換の性能を示す性能情報とを取得し、
前記性能情報が、前記映像再生装置における解像度変換の性能を上回っている場合、前記映像再生情報の解像度を変換せずに当該映像再生情報を送信し、
前記性能情報が、前記映像再生装置における解像度変換の性能を下回っている場合、前記映像再生装置から取得した解像度情報と、前記記録媒体読取装置において変換可能な解像度と、において共通する解像度に前記映像再生情報の解像度を変換し、
前記変換された映像再生情報を送信する、映像再生情報送信方法。
【請求項２１】
記録媒体に記録されている映像コンテンツ情報を読み出し、当該映像コンテンツ情報を映像再生情報に変換して映像再生装置に送信する映像再生情報送信方法であって、
前記映像再生装置において前記映像再生情報の再生可能な解像度を示す解像度情報と、前記映像再生情報の解像度変換を当該映像再生装置において実施するか否かを示す優先度情報とを取得し、
前記優先度情報に、前記映像再生装置において前記映像再生情報の解像度変換を実施することが設定されている場合、当該映像再生情報の解像度を変換せずに当該映像再生情報を送信し、
前記優先度情報に、前記映像再生装置において前記映像再生情報の解像度変換を実施することが設定されていない場合、前記映像再生装置から取得した解像度情報と、前記記録媒体読取装置において変換可能な解像度と、において共通する解像度に前記映像再生情報の解像度を変換し、
前記変換された映像再生情報を送信する、映像再生情報送信方法。
【発明の詳細な説明】
【技術分野】
【０００１】
本発明は映像変換装置、記録媒体読取装置、映像再生装置及び映像再生情報送信方法に関し、特に解像度変換を伴う映像変換装置、記録媒体読取装置、映像再生装置及び映像再生情報送信方法に関する。
【背景技術】
【０００２】
近年、デジタルＡＶ機器同士の接続にはＨＤＭＩ（High Definition Multimedia Interface）ケーブルが主に用いられている。また、地上アナログ放送から地上デジタル放送への移行に伴い、家庭内にはＨＤＴＶ（High Definition television）が普及し、映像記録媒体もＤＶＤ（Digital Versatile Disc）からＢＤ（Blue-ray Disc）に移行が進んでいる。しかし、家庭内のテレビがＨＤＴＶに移行しても、これまでに購入したＤＶＤなどのＳＤ（Standard Definition）解像度のコンテンツは多数存在する。そのため、ＨＤＴＶにおいてＳＤ解像度のコンテンツを再生する機会も多々ある。その際にＳＤ解像度の映像をＨＤ（High Definition）解像度に変換するアップコンバータが必要となる。そのため、アップコンバータは、ＢＤプレーヤーやＨＤＴＶなどＨＤ解像度に対応した機器には必ず搭載されている。このアップコンバータにおいて解像度を変換する際に、近年、超解像等の全く新しい方式の高画質化技術が考案され、各社が競ってＨＤＴＶへの搭載を進めている。ＨＤＴＶに超解像等の高画質化技術が搭載され、ＢＤプレーヤーには当該高画質化技術が搭載されていない場合、以下の問題が発生する。
【０００３】
ＡＶ機器同士をＨＤＭＩ接続した場合、ＢＤプレーヤー側は、ＨＤＴＶ側にて対応可能な情報（解像度やアスペクトなど）を含むＥＤＩＤ（Extended Display Identification Data）を取得する。ＢＤプレーヤー側は、取得したＥＤＩＤから、ＢＤプレーヤー／ＨＤＴＶ双方にて対応可能な最も高品位な映像を選択する。さらに、ＢＤプレーヤー側は、記録媒体に記録されている映像コンテンツを、選択した映像に変換し、変換した映像データをＨＤＴＶに送信する。このため、ＤＶＤなどのＳＤ解像度のコンテンツを再生した場合、上記で選択された解像度に満たない映像は、ＢＤプレーヤーに搭載されているアップコンバータでアップコンバートされる。そのため、ＨＤＴＶに超解像処理を実行するアップコンバータ等の高性能アップコンバータが搭載されていたとしても、有効に活用することができない。特許文献１には、このような問題点を解決するために、ＨＤＴＶの高性能アップコンバータを有効に活用することができる技術が開示されている。以下に、特許文献１の内容について説明する。
【０００４】
特許文献１に開示されている映像受信機器（ＨＤＴＶ等）は、ユーザの操作により、映像送信機器（ＢＤプレーヤー等）から取得する映像データの解像度を変更することができる。例えば、映像受信機器から映像送信機器に対して、ＳＤ解像度のまま送信することを、ユーザの操作により設定することができる。そのため、映像送信機器において、ＨＤ解像度へアップコンバートすることができる場合においても、映像受信機器側において、ＳＤ解像度の映像を、ＨＤ解像度の映像にアップコンバートすることができる。これにより、映像受信機器側においてアップコンバートした方が、映像送信機器側においてアップコンバートするよりも品質が良い場合に対応することができる。
【０００５】
また、特許文献２は、映像出力装置と映像表示装置とにおいて一致する対応解像度を抽出し、抽出された解像度と、コンテンツの解像度との比較を行う。比較を行った結果、コンテンツの解像度が、抽出された解像度よりも低い場合、コンテンツの解像度を、抽出された解像度の中から、コンテンツの解像度よりも１つ上の解像度に設定する。これにより、映像出力装置において、最大の解像度に変換することなく、映像表示装置に出力することができるため、映像表示装置において高性能の解像度変換機能を備えている場合、当該解像度変換機能を利用することができる。
【先行技術文献】
【特許文献】
【０００６】
【特許文献１】特開２００７−９６６０４号公報
【特許文献２】特開２００７−２１４８３０号公報
【発明の概要】
【発明が解決しようとする課題】
【０００７】
上述した特許文献２においては、映像出力装置側に、高性能なアップコンバータが搭載されている場合においても、当該アップコンバータが使用されず、映像表示装置側のアップコンバータが使用される。そのため、映像を高画質化して表示するという要求を満たさない。また、特許文献１においては、以下の問題が発生する。図１０を用いて、特許文献１において、映像送信器から送信される映像の受信解像度をＳＤ解像度に設定している状態における解像度の状態変換を説明する。図１０において、映像送信器の映像コンテンツをＳＤ解像度からＨＤ解像度に切り替えた場合、つまり、ＤＶＤの再生を停止し、ＢＤの再生を行った場合に、映像送信機器は、ＨＤ解像度の映像をＳＤ解像度にダウンコンバートしてから映像受信機器に送信する。その後、映像受信機器は、ダウンコンバートされた映像を、ＨＤ解像度にアップコンバートすることになる。そのため、不必要なダウン／アップコンバートが発生し、映像が劣化してしまう。
【課題を解決するための手段】
【０００８】
本発明の第１の態様にかかる映像変換装置は、記録媒体に記録されている映像コンテンツ情報を映像再生装置に送信するための映像再生情報に変換する映像変換装置であって、前記映像再生装置において前記映像再生情報の再生可能な解像度を示す解像度情報と、前記映像再生装置における前記映像再生情報の解像度変換の性能を示す性能情報とを当該映像再生装置から取得するデータ取得部と、前記性能情報に示される性能が、前記映像変換装置における前記映像再生情報の解像度変換の性能を下回っている場合、前記映像変換装置から取得した解像度情報と、前記映像変換装置において変換可能な解像度と、において共通する解像度に前記映像再生情報の解像度を変換する変換部と、を備えるものである。
【０００９】
このような映像変換装置を用いることにより、映像再生装置における解像度変換の性能と、映像変換装置における解像度変換の性能とを比較することができる。これにより、性能が高い解像度変換を行うことができる装置において解像度変換を行うことができるため、映像再生装置において、高品質な画像を再生することができる。
【００１０】
本発明の第２の態様にかかる映像変換装置は、記録媒体に記録されている映像コンテンツ情報を映像再生装置に送信するための映像再生情報に変換する映像変換装置であって、前記映像再生装置において前記映像再生情報の再生可能な解像度を示す解像度情報と、前記映像再生情報の解像度変換を当該映像再生装置において実施するか否かを示す優先度情報とを当該映像再生装置から取得するデータ取得部と、前記優先度情報に、前記映像再生装置において前記映像再生情報の解像度変換を実施することが設定されていない場合、当該映像再生装置において再生可能な解像度を示す解像度情報と、前記映像変換装置において変換可能な解像度と、において共通する解像度に前記映像再生情報の解像度を変換する変換部と、を備えるものである。
【００１１】
このような映像変換装置を用いることにより、映像変換装置における解像度変換の性能よりも、映像再生装置における解像度変換の性能が優れている場合において、映像再生装置における解像度変換を優先することができる。これにより、性能が高い解像度変換を行うことができる装置において解像度変換を行うことができるため、映像再生装置において、高品質な画像を再生することができる。
【００１２】
本発明の第３の態様にかかる記録媒体読取装置は、記録媒体に記録されている映像コンテンツ情報を読み出し、当該映像コンテンツ情報を映像再生情報に変換して映像再生装置に送信する記録媒体読取装置であって、前記映像再生装置において前記映像再生情報の再生可能な解像度を示す解像度情報と、前記映像再生装置における前記映像再生情報の解像度変換の性能を示す性能情報とを当該映像再生装置から取得するデータ取得部と、前記性能情報に示される性能が、前記記録媒体読取装置における前記映像再生情報の解像度変換の性能を下回っている場合、前記映像再生装置において再生可能な解像度を示す解像度情報と、前記映像送信装置において変換可能な解像度と、において共通する解像度に前記映像再生情報の解像度を変換し、当該変換された映像再生情報を当該映像再生装置に送信する送信部と、を備えるものである。
【００１３】
このような記録媒体読取装置を用いることにより、映像再生装置における解像度変換の性能と、記録媒体読取装置における解像度変換の性能とを比較することができる。これにより、性能が高い解像度変換を行うことができる装置において解像度変換を行うことができるため、映像再生装置において、高品質な画像を再生することができる。
【００１４】
本発明の第４の態様にかかる記録媒体読取装置は、記録媒体に記録されている映像コンテンツ情報を読み出し、当該映像コンテンツ情報を映像再生情報に変換して映像再生装置に送信する記録媒体読取装置であって、前記映像再生装置において前記映像再生情報の再生可能な解像度を示す解像度情報と、前記映像再生情報の解像度変換を当該映像再生装置において実施するか否かを示す優先度情報とを当該映像再生装置から取得するデータ取得部と、前記優先度情報に、前記映像再生装置において前記映像再生情報の解像度変換を実施することが設定されていない場合、当該映像再生装置において再生可能な解像度を示す解像度情報と、前記記録媒体読取装置において変換可能な解像度と、において共通する解像度に前記映像再生情報の解像度を変換し、当該変換された映像再生情報を当該映像再生装置に送信する送信部と、を備えるものである。
【００１５】
このような記録媒体読取装置を用いることにより、記録媒体読取装置における解像度変換の性能よりも、映像再生装置における解像度変換の性能が優れている場合において、映像再生装置における解像度変換を優先することができる。これにより、性能が高い解像度変換を行うことができる装置において解像度変換を行うことができるため、映像再生装置において、高品質な画像を再生することができる。
【００１６】
本発明の第５の態様にかかる映像再生装置は、記録媒体読取装置において、記録媒体に記録されている映像コンテンツ情報が読み出され、当該映像コンテンツ情報から映像再生情報に変換された情報を取得する映像再生装置であって、前記映像再生装置において再生可能な解像度を示す解像度情報と、前記映像再生装置における前記映像再生情報の解像度変換の性能を示す性能情報とを送信する送信部と、前記映像再生装置の解像度変換の性能が、前記記録媒体読取装置の解像度変換の性能よりも優れている場合、前記記録媒体読取装置から取得する映像再生情報の解像度を、再生可能な解像度に変換し、当該変換された映像再生情報を再生する再生部と、を備えるものである。
【００１７】
このような映像再生装置を用いることにより、映像再生装置における解像度変換の性能情報を記録媒体読取装置に送信することができる。そのため、記録媒体読取装置において、解像度変換の性能を比較することができる。これにより、性能が高い解像度変換を行うことができる装置において解像度変換を行うことができるため、映像再生装置において、高品質な画像を再生することができる。
【００１８】
本発明の第６の態様にかかる映像再生装置は、記録媒体読取装置において、記録媒体に記録されている映像コンテンツ情報が読み出され、当該映像コンテンツ情報から映像再生情報に変換された情報を取得する映像再生装置であって、前記映像再生装置において再生可能な解像度を示す解像度情報と、前記映像再生情報の解像度変換を当該映像再生装置において実施するか否かを示す優先度情報と、を送信する送信部と、前記優先度情報に、前記映像再生装置において解像度変換を実施することを設定した場合、前記記録媒体読取装置から取得する映像再生情報の解像度を、再生可能な解像度に変換し、当該変換された映像再生情報を再生する再生部と、を備えるものである。
【００１９】
このような映像再生装置を用いることにより、解像度変換を映像再生装置において優先的に実施する情報を送信することができる。そのため、映像再生装置における解像度変換の性能が、記録媒体読取装置における解像度変換の性能よりも上回っている場合、解像度変換を映像再生装置において実施することができる。これにより、性能が高い解像度変換を行うことができる装置において解像度変換を行うことができるため、映像再生装置において、高品質な画像を再生することができる。
【００２０】
本発明の第７の態様にかかる映像再生情報送信方法は、記録媒体に記録されている映像コンテンツ情報を読み出し、当該映像コンテンツ情報を映像再生情報に変換して映像再生装置に送信する映像再生情報送信方法であって、前記映像再生情報を再生可能な解像度を示す解像度情報と、前記映像再生装置における前記映像再生情報の解像度変換の性能を示す性能情報とを取得し、前記性能情報が、前記映像再生装置における解像度変換の性能を上回っている場合、前記映像再生情報の解像度を変換せずに当該映像再生情報を送信し、
前記性能情報が、前記映像再生装置における解像度変換の性能を下回っている場合、前記映像再生装置において再生可能な解像度を示す解像度情報と、前記記録媒体読取装置において変換可能な解像度と、において共通する解像度に前記映像再生情報の解像度を変換し、前記変換された映像再生情報を送信するものである。
【００２１】
このような映像再生情報送信方法を用いることにより、映像再生装置における解像度変換の性能と、記録媒体読取装置における解像度変換の性能とを比較することができる。これにより、性能が高い解像度変換を行うことができる装置において解像度変換を行うことができるため、映像再生装置において、高品質な画像を再生することができる。
【００２２】
本発明の第８の態様にかかる映像再生情報送信方法は、記録媒体に記録されている映像コンテンツ情報を読み出し、当該映像コンテンツ情報を映像再生情報に変換して映像再生装置に送信する映像再生情報送信方法であって、前記映像再生装置において前記映像再生情報の再生可能な解像度を示す解像度情報と、前記映像再生情報の解像度変換を当該映像再生装置において実施するか否かを示す優先度情報とを取得し、前記優先度情報に、前記映像再生装置において前記映像再生情報の解像度変換を実施することが設定されている場合、当該映像再生情報の解像度を変換せずに当該映像再生情報を送信し、前記優先度情報に、前記映像再生装置において前記映像再生情報の解像度変換を実施することが設定されていない場合、当該映像再生装置において再生可能な解像度を示す解像度情報と、前記記録媒体読取装置において変換可能な解像度と、において共通する解像度に前記映像再生情報の解像度を変換し、前記変換された映像再生情報を送信するものである。
【００２３】
このような映像再生情報送信方法を用いることにより、記録媒体読取装置における解像度変換の性能よりも、映像再生装置における解像度変換の性能が優れている場合において、映像再生装置における解像度変換を優先することができる。これにより、性能が高い解像度変換を行うことができる装置において解像度変換を行うことができるため、映像再生装置において、高品質な画像を再生することができる。
【発明の効果】
【００２４】
本発明により、解像度変換の性能が高い装置において解像度変換を行うことができる映像変換装置、記録媒体読取装置、映像再生装置及び映像再生情報送信方法を提供することができる。
【図面の簡単な説明】
【００２５】
【図１】実施の形態１にかかる記録媒体読取装置及び映像再生装置の構成図である。
【図２】実施の形態１にかかるＥＤＩＤのデータを示す図である。
【図３】実施の形態１にかかる記録媒体読取装置の構成図である。
【図４】実施の形態１にかかる映像再生装置の構成図である。
【図５】実施の形態１にかかる解像度変換の状態を示す図である。
【図６】実施の形態１にかかる解像度変換の状態を示す図である。
【図７】実施の形態１にかかる記録媒体読取装置のフローチャートである。
【図８】実施の形態１にかかる映像再生装置のフローチャートである。
【図９】実施の形態２にかかる記録媒体読取装置のフローチャートである。
【図１０】複数回解像度変換を実施する場合の解像度の状態を示す図である。
【発明を実施するための形態】
【００２６】
（実施の形態１）
以下、図面を参照して本発明の実施の形態について説明する。図１を用いて本発明の実施の形態１にかかる記録媒体読取装置１及び映像再生装置３０の構成例について説明する。
【００２７】
記録媒体読取装置１は、映像変換装置１０及び送信部２０を備えている。映像変換装置１０は、データ取得部１２及び変換部１４を備えている。記録媒体読取装置１は、例えばＤＶＤ、ブルーレイディスク等の記録媒体を用いて録画及び再生を行うＤＶＤ録画再生装置であってもよく、その他の記録媒体を用いて録画及び再生を行う装置であってもよい。映像変換装置１０は、解像度変換を行う回路であってもよく、解像度変換を行う回路及び周辺メモリ等を含むマイクロコンピュータ等であってもよい。
【００２８】
データ取得部１２は、ＨＤＭＩケーブル４０を介して、映像再生装置３０から、映像再生装置３０において再生可能な解像度を示す解像度情報と、解像度変換を行うコンバータの性能を示す性能情報とを取得する。解像度情報とは、例えば、４８０ｐ、７２０ｐ、１０８０ｐ等で示される。性能情報とは、例えば、解像度変換において、超解像処理を含むか否かを示す情報でもよく、また、解像度変換を行うコンバータのバージョン情報であってもよい。データ取得部１２は、解像度情報及び性能情報を、変換部１４へ出力する。
【００２９】
変換部１４は、データ取得部１２から入力された解像度情報及び性能情報に基づいて、映像コンテンツ情報を、映像再生装置３０において再生させるための映像再生情報に変換する。具体的には、変換部１４は、性能情報に示される映像再生装置３０におけるコンバータの性能と、記録媒体読取装置１におけるコンバータの性能とを比較して、どちらのコンバータの性能が優れているかを判定する。例えば、記録媒体読取装置１は、映像再生情報を、１０８０ｐに解像度変換を行うことが可能であり、映像再生装置３０は、映像再生情報を１０８０ｐに解像度変換を行うことが可能でありさらに解像度変換する際に、超解像処理を用いて、高画質な映像を実現することができる場合、変換部１４は、映像再生装置３０におけるコンバータの性能のほうが上回っていると判定する。
【００３０】
変換部１４は、映像再生装置３０におけるコンバータの性能が、記録媒体読取装置１におけるコンバータの性能を上回っていると判定した場合、映像再生情報の解像度を変換することなく、送信部２０へ出力する。送信部２０は、ＨＤＭＩケーブル４０を介して、取得した映像再生情報を、映像再生装置３０へ送信する。
【００３１】
変換部１４は、映像再生装置３０におけるコンバータの性能が、記録媒体読取装置１におけるコンバータの性能を下回っていると判定した場合、以下の処理を行う。変換部１４は、記録媒体読取装置１における変換可能な解像度と、解像度情報に示される映像再生装置３０における変換可能な解像度とのうち、共通する解像度を抽出する。さらに、変換部１４は、抽出した解像度の中において、高画質な解像度を選択する。変換部１４は、映像再生情報を、選択された解像度に変換し、送信部２０へ出力する。送信部２０は、取得した映像再生情報を、ＨＤＭＩケーブル４０を介して、映像再生装置３０へ送信する。
【００３２】
次に、映像再生装置３０の構成例について説明する。映像再生装置３０は、送信部３２と、ＥＤＩＤデータメモリ３４と、変換部３６と、再生部３８と、を備えている。また、映像再生装置３０は、ＤＶＤ録画再生装置等と接続され、ＤＶＤ、ブルーレイディスク等の記録媒体に格納されている映像コンテンツを表示する装置である。さらに、地上デジタル放送等における放送信号を受信して、表示することができる機能を備えてもよく、例えば、ＨＤＴＶ等であってもよい。
【００３３】
ＥＤＩＤデータメモリ３４は、映像再生装置３０において変換可能な解像度等の情報を含むＥＤＩＤを保持している。ＥＤＩＤは、例えば、図２に示される形式のデータであり、Ｂｙｔｅ毎に、設定されるデータ内容が規定されている。ここで、映像再生装置３０におけるコンバータの性能を示すデータを、「Vender Specific Data Block」（以下、ＶＳＤＢ）に設定する。ＶＳＤＢは、映像再生装置３０を製造するベンダーが任意に設定することができる領域である。ＶＳＤＢ以外の領域は、異なるベンダーにより製造されている記録媒体読取装置１と映像再生装置３０とを接続する際に動作の互換性を確保するために、設定することが必須の領域である。
【００３４】
性能情報は、上述したようにベンダーが任意に設定するＶＳＤＢに設定される。そのため、コンバータの性能については、ベンダー独自に決定することができる。例えば、コンバータの性能は、次のようにレベル別に示される。コンバータそのものを搭載していない場合は、レベル０、超解像処理を有さず、最新のコンバータ以前のコンバータを搭載している場合は、レベル１、超解像処理等を有し現状における最新のコンバータを搭載している場合は、レベル２、の様に設定することができる。このように決定した場合、コンバータを改良するたびに、性能レベルをアップさせていけば、ベンダーにおいて規定した性能レベルを明確にすることができ、コンバータにおける性能の優劣を容易に規定することができる。
【００３５】
送信部３２は、ＥＤＩＤデータメモリ３４に保持されているＥＤＩＤを読み出して、記録媒体読取装置１へ出力する。
【００３６】
変換部３６は、記録媒体読取装置１から、映像再生情報を取得する。記録媒体読取装置１において、映像再生装置３０におけるコンバータの性能が、記録媒体読取装置１におけるコンバータの性能を上回っていると判定された場合、変換部３６は、記録媒体読取装置１にて解像度変換されていない映像再生情報を取得する。この場合、変換部３６は、取得した映像再生情報について解像度変換を行う。また、記録媒体読取装置１において映像再生装置３０におけるコンバータの性能が、記録媒体読取装置１におけるコンバータの性能を下回っていると判定された場合、変換部３６は、記録媒体読取装置１において解像度変換がなされた映像再生情報を取得する。この場合、変換部３６は、取得した映像再生情報について解像度変換を行わず、再生部３８へ出力する。
【００３７】
続いて、図３を用いて本発明の実施の形態１にかかる記録媒体読取装置１の詳細な構成例について説明する。記録媒体読取装置１は、ＨＤＭＩ受信部１２１と、ドライブ部１４１と、デコーダ部１４２と、信号処理部１４３と、コンバータ１４４と、制御部１４５と、性能情報メモリ１４６と、解像度情報メモリ１４７と、比較部１４８と、ＨＤＭＩ送信部２０１と、を備えている。
【００３８】
ＨＤＭＩ受信部１２１は、映像再生装置３０から、ＥＤＩＤを取得する。ＥＤＩＤには、映像再生装置３０におけるコンバータの性能情報及び変換可能な解像度を示す情報が含まれている。
【００３９】
ドライブ部１４１には、記録媒体が装着される。制御部１４５から再生要求されることにより、ドライブ部１４１は、記録媒体に格納されている映像コンテンツ情報を読み取る。ドライブ部１４１において読み取り可能な記録媒体には、ＤＶＤ、ブルーレイディスク又はハードディスク等が含まれる。ドライブ部１４１において読み取られたデータは、デコーダ部１４２を介して信号処理部１４３に供給される。
【００４０】
デコーダ部１４２及び信号処理部１４３は、エラー訂正処理、符号化処理等をそれぞれ実施する。これにより、デジタル信号により示される映像再生情報が生成される。なお、デコーダ部１４２及び信号処理部１４３において実行されるエラー訂正処理におけるエラー訂正方式及び符号化処理における符号化方式等は、制御部１４５からの制御内容に従い決定される。信号処理部１４３は、映像再生情報を、コンバータ１４４又はＨＤＭＩ送信部２０１へ出力する。
【００４１】
コンバータ１４４は、取得した映像再生情報について解像度変換処理を実行する。コンバータ１４４における解像度変換処理について、以下に詳細に説明する。比較部１４８は、映像再生装置３０におけるコンバータ３６４の性能情報と、記録媒体読取装置１におけるコンバータ１４４の性能情報とを比較する。映像再生装置３０におけるコンバータ３６４の性能情報は、ＨＤＭＩ受信部１２１が取得したＥＤＩＤに含まれている。記録媒体読取装置１におけるコンバータ１４４の性能情報は、性能情報メモリ１４６に格納されている。比較部１４８において、映像再生装置３０におけるコンバータ３６４の性能が、記録媒体読取装置１におけるコンバータ１４４の性能を上回っていると判定された場合、コンバータ１４４は、信号処理部１４３から取得した映像再生情報について解像度変換を行わず、信号処理部１４３へ出力する。
【００４２】
比較部１４８において、映像再生装置３０におけるコンバータの性能が、記録媒体読取装置１におけるコンバータ１４４の性能を下回っていると判定された場合、比較部１４８は、映像再生装置３０における変換可能な解像度情報と、記録媒体読取装置１における変換可能な解像度情報とを比較する。映像再生装置３０における変換可能な解像度情報は、ＨＤＭＩ受信部１２１が受信するＥＤＩＤに含まれている。記録媒体読取装置１における変換可能な解像度情報は、解像度情報メモリ１４７に格納されている。もしくは、性能情報メモリ１４６と解像度情報メモリ１４７とは、物理的に同一なメモリであってもよい。比較部１４８は、それぞれの解像度情報に共通する解像度を抽出する。さらに、比較部１４８は、抽出した解像度の中から、最も高品質な解像度を選択する。
【００４３】
コンバータ１４４は、比較部１４８において選択された解像度に従い、映像再生情報の解像度変換を行う。解像度変換がおこなわれた映像再生情報は、信号処理部１４３へ出力される。
【００４４】
比較部１４８において、記録媒体読取装置１及び映像再生装置３０におけるコンバータの性能が同一と判定された場合、コンバータ１４４は、映像再生情報の解像度を変換してもよく、変換しなくてもよい。コンバータ１４４が映像再生情報の解像度を変換する場合、映像再生装置３０における解像度変換は不要となる。また、コンバータ１４４が映像再生情報の解像度を変換しない場合、映像再生装置３０において解像度を変換することになる。
【００４５】
ＨＤＭＩ送信部２０１は、信号処理部１４３から取得した映像再生情報を、ＨＤＭＩ規格を満たすＨＤＭＩ信号に変換して、映像再生装置３０へ出力する。
【００４６】
以上説明したように、本発明の実施の形態１にかかる記録媒体読取装置１を用いることにより、記録媒体読取装置１と映像再生装置３０とにおいて、性能が上回るコンバータを選択して、解像度変換を実行することができる。そのため、記録媒体に保存されている映像コンテンツを、高品質な画像において再生することができる。
【００４７】
次に、図４を用いて本発明の実施の形態１にかかる映像再生装置３０の構成例について説明する。映像再生装置３０は、地上デジタル放送により配信される映像を表示することができる機能と記録媒体読取装置から送信されたＨＤ映像を表示することができる機能と、を備えるＨＤＴＶ等である。映像再生装置３０は、地上デジタル放送等の表示を行うために、アンテナ３０１と、チューナ部３０２と、復調部３０３と、信号処理部３０４と、混合部３０５と、を備えている。また、映像再生装置３０は、記録媒体読取装置１から取得する映像再生情報の表示を行うために、ＥＤＩＤデータメモリ３４と、コネクタ３２１と、ＨＤＭＩ送受信回路３２２と、信号処理部３６１と、混合部３６３と、を備えている。また、制御部３６２と、コンバータ３６４と、ＯＳＤ（on screen display）信号処理部３１０と、セレクタ３８１と、表示部３８２とは、地上デジタル放送等の表示及び記録媒体読取装置１から取得する映像再生情報の表示について、共通に用いられる。
【００４８】
はじめに、地上デジタル放送等の表示を行うために用いられる構成について説明する。アンテナ３０１において受信した放送信号は、チューナ部３０２へ供給される。チューナ部３０２は、入力された放送信号から、ユーザ等の操作により指定された放送チャンネルの信号を選局して復調部３０３へ出力する。選局は、制御部３６２からの制御に基づいて実施される。復調部３０３及び信号処理部３０４は、チューナ部３０２から取得した放送信号について、復調処理及び放送コンテンツを復元するための信号処理を行う。
【００４９】
また、信号処理部３０４は、復調部３０３から取得した復調信号を、コンバータ３６４へ出力する。コンバータ３６４は、取得した復調信号の解像度が低い場合は、アップコンバートすることにより解像度を向上させる。たとえば、復調信号がＳＤ解像度である場合には、ＨＤ解像度へアップコンバートする。もしくは、復調信号に含まれる解像度が、表示部３８２において表示することができる解像度を超えている場合は、ダウンコンバートすることにより解像度を低下させる。コンバータ３６４は、ＥＤＩＤデータメモリ３４に接続されている制御部３６２から、解像度情報を取得することができる。信号処理部３０４から出力された信号は、混合部３０５において、ＯＳＤ信号処理部３１０から出力されるＯＳＤ信号と混合されて、セレクタ３８１へ出力される。セレクタ３８１は、制御部３６２の制御により、表示部３８２へ出力する情報を選択する。例えば、制御部３６２は、アンテナ３０１を介して受信した映像か、記録媒体読取装置１から受信した映像のいずれを表示するかを制御する。
【００５０】
次に、記録媒体読取装置１から受信する映像再生情報を表示するために用いられる構成について説明する。記録媒体読取装置１から取得するＨＤＭＩ信号は、コネクタ３２１を介してＨＤＭＩ送受信回路３２２へ出力される。ＨＤＭＩ送受信回路３２２は、記録媒体読取装置１において、ＨＤＭＩ規格に準拠した形態に変換されたＨＤＭＩ信号を復元し、映像再生情報を取得する。取得された映像再生情報は、信号処理部３６１へ出力される。信号処理部３６１は、コンバータ３６４を用いて解像度変換された信号を、混合部３６３へ出力する。コンバータ３６４における解像度変換処理について、以下に詳細に説明する。
【００５１】
コンバータ３６４は、信号処理部３６１から取得した映像再生情報における解像度が、コンバータ３６４において変換可能である最も高品位な解像度であるか否かについて判定する。映像再生情報の解像度が、コンバータ３６４において変換可能である最も高品位な解像度に達していない場合、コンバータ３６４は、映像再生情報の解像度を向上させるため、解像度をアップコンバートする。コンバータ３６４における変換可能な解像度情報は、ＥＤＩＤデータメモリ３４に格納されている解像度情報を、制御部３６２を介して取得してもよい。ＥＤＩＤデータメモリ３４には、記録媒体読取装置１へＥＤＩＤを通知するために、映像再生装置３０において変換可能な解像度情報等が格納されている。映像再生情報の解像度が、コンバータ３６４において変換可能である最も高品位な解像度に達している場合、コンバータ３６４は、映像再生情報について解像度変換を実行しない。
【００５２】
信号処理部３６１は、解像度変換を実行した映像再生情報もしくは解像度変換を実行しなかった映像再生情報を、混合部３６３へ出力する。混合部３６３は、信号処理部３６１から取得した信号と、ＯＳＤ信号処理部３１０から取得したＯＳＤ信号を混合して、セレクタ３８１へ出力する。
【００５３】
続いて、図５及び図６を用いて、記録媒体読取装置１及び映像再生装置３０における解像度の状態について説明する。図５を用いて、映像再生装置３０における解像度変換の性能が、記録媒体読取装置１における解像度変換の性能よりも上回っている場合の例について説明する。この場合、記録媒体読取装置１は、解像度変換を実施せずに、映像再生情報を映像再生装置３０へ出力する。映像再生装置３０は、取得した映像再生情報について解像度変換を実施する。つまり、図５に示すように、例えばＤＶＤ等を再生する場合に、映像再生情報の解像度がＳＤ解像度である場合に、ＨＤ解像度への変換に対応している映像再生装置３０において、ＳＤ解像度からＨＤ解像度への変換を行う。
【００５４】
次に、図６を用いて映像再生装置３０における解像度変換の性能が、記録媒体読取装置１における解像度変換の性能よりも下回っている場合の例について説明する。この場合、記録媒体読取装置１において解像度変換を実施し、解像度変換後の映像再生情報を映像再生装置３０へ出力する。映像再生装置３０は、取得した映像再生情報について再生を行う。つまり、図６に示すように、記録媒体読取装置１においてＳＤ解像度の映像再生情報を、ＨＤ解像度の映像再生情報に変換する。映像再生装置３０は、記録媒体読取装置１においてＨＤ解像度に変換された映像再生情報を再生する。
【００５５】
続いて、図７を用いて本発明の実施の形態１にかかる記録媒体読取装置における処理の流れについて説明する。はじめに、記録媒体読取装置１及び映像再生装置３０をＨＤＭＩケーブルにより接続する（Ｓ１１）。次に、記録媒体読取装置１のＨＤＭＩ受信部１２１は、映像再生装置３０からＥＤＩＤを読み出す（Ｓ１２）。次に、記録媒体読取装置１の制御部１４５は、ＥＤＩＤのＶＳＤＢに性能情報が設定されているか否かを判定する（Ｓ１３）。次に、記録媒体読取装置１の制御部１４５において、性能情報が設定されていると判定された場合、比較部１４８は、ＶＳＤＢの性能情報を読み出す（Ｓ１４）。次に、比較部１４８は、読み出しを行った性能情報に示されている性能と、記録媒体読取装置１のコンバータの性能と、を比較する（Ｓ１５）。そのために、比較部１４８は、記録媒体読取装置１のコンバータの性能に関する情報を、性能情報メモリ１４６から取得する。比較部１４８において、映像再生装置３０におけるコンバータの性能が、記録媒体読取装置１におけるコンバータの性能を上回っていると判定された場合、コンバータ１４４は、信号処理部１４３から取得した映像再生情報について解像度変換を実施せず、ＨＤＭＩ送信部２０１へ出力する（Ｓ１６）。
【００５６】
また、ステップＳ１３において、記録媒体読取装置１の制御部１４５によりＥＤＩＤのＶＳＤＢに性能情報が設定されていないと判定された場合、又は、ステップＳ１５において、比較部１４８により、映像再生装置３０におけるコンバータの性能が、記録媒体読取装置１におけるコンバータの性能を下回っていると判定された場合、比較部１４８は、以下の処理を実行する。比較部１４８は、ＥＤＩＤから映像再生装置３０において変換可能な解像度と、解像度情報メモリ１４７から記録媒体読取装置１において変換可能な解像度とを取得する。比較部１４８は、取得したそれぞれの解像度に関する情報のうち、映像再生装置３０及び記録媒体読取装置１において共通する解像度を抽出する。さらに、比較部１４８は、抽出した解像度の中で、最も高品質な解像度を選択する。コンバータ１４４は、比較部１４８により選択された解像度にアップコンバートして、ＨＤＭＩ送信部２０１へ出力する（Ｓ１７）。
【００５７】
次に、ＨＤＭＩ送信部２０１は、映像再生情報を映像再生装置３０へ送信する（Ｓ１８）。
【００５８】
続いて、図８を用いて本発明の実施の形態１にかかる映像再生装置３０における処理の流れについて説明する。はじめに、記録媒体読取装置１及び映像再生装置３０をＨＤＭＩケーブルにより接続する（Ｓ２１）。次に、ＨＤＭＩ送受信回路３２２は、ＥＤＩＤを記録媒体読取装置１へ送信する（Ｓ２２）。ＥＤＩＤのＶＳＤＢには、コンバータ３６４の性能を示す情報が設定されている。次に、ＨＤＭＩ送受信回路３２２は、記録媒体読取装置１から映像再生情報を取得する（Ｓ２３）。次に、制御部３６２は、取得した映像再生情報の解像度がコンバータ３６４において変換可能な解像度に達しているか否かを判定する（Ｓ２４）。次に、取得した映像再生情報の解像度が、コンバータ３６４において変換可能な解像度に達している場合、コンバータ３６４は、映像再生情報の解像度を変換せず、表示部３８２は、取得した映像再生情報を表示する（Ｓ２６）。また、取得した映像再生情報の解像度が、コンバータ３６４において変換可能な解像度に達していない場合、コンバータ３６４は、解像度変換を行い、解像度をアップコンバートする（Ｓ２５）。次に、表示部３８２は、解像度がアップコンバートされた映像再生情報を表示する（Ｓ２６）。
【００５９】
以上説明したように、本発明の実施の形態１にかかる記録媒体読取装置１及び映像再生装置３０を用いることにより、映像再生装置３０は、ＥＤＩＤに変換可能な解像度情報を設定するとともに、ＶＳＤＢに、コンバータの性能情報を設定することができる。さらに、記録媒体読取装置１は、ＶＳＤＢに設定された性能情報を読み出し、映像再生装置３０と記録媒体読取装置１とのそれぞれのコンバータにおける性能比較を行うことができる。
性能比較を行った結果に基づいて、より性能の高い方の装置において、解像度変換を行うことを決定することができる。そのため、例えば、最新のブルーレイディスクプレーヤーと古いＨＤＴＶとの組み合わせにおいても、性能の高いコンバータにより解像度変換を実行できる。よって、記録媒体読取装置１及び映像再生装置３０を接続して映像を再生する場合に、両装置において最も高品質な画像を再生することができる。
【００６０】
（実施の形態２）
続いて、本発明の実施の形態２にかかる記録媒体読取装置１及び映像再生装置３０について説明する。記録媒体読取装置１及び映像再生装置３０の構成は、図１、図３及び図４と同様であるため、説明を省略する。映像再生装置３０は、ＥＤＩＤデータメモリ３４において、ＶＳＤＢに、解像度変換を映像再生装置３０にて優先的に実施することを規定した優先度情報を設定する。ＨＤＭＩ送受信回路３２２は、記録媒体読取装置１に対して、ＶＳＤＢに優先度情報を設定したＥＤＩＤを送信する。
【００６１】
記録媒体読取装置１は、ＨＤＭＩ受信部１２１において、ＥＤＩＤを取得する。制御部１４５は、ＥＤＩＤのＶＳＤＢに優先度情報が設定されているか否かを判定する。制御部１４５において、ＶＳＤＢに優先度情報が設定されていると判定された場合、コンバータ１４４は、解像度変換をせずに、優先度情報をＨＤＭＩ送信部２０１へ出力する。また、制御部１４５において、ＶＳＤＢに優先度情報が設定されていないと判定された場合、コンバータ１４４は、実施の形態１と同様に、解像度変換を実施して、映像再生情報をＨＤＭＩ送信部２０１へ出力する。
【００６２】
続いて、図９を用いて本発明の実施の形態２にかかる記録媒体読取装置１における処理の流れについて説明する。ステップＳ３１及びＳ３２は、図７におけるステップＳ１１及びＳ１２と同様であるため、説明を省略する。記録媒体読取装置１の制御部１４５は、ＥＤＩＤのＶＳＤＢに優先度情報が設定されているか否かを判定する（Ｓ３３）。次に、記録媒体読取装置１の制御部１４５において、優先度情報が設定されていると判定した場合、比較部１４８は、ＶＳＤＢの優先度情報を読み出す（Ｓ３４）。次に、制御部１４５は、読み出した優先度情報に、映像再生装置３０において解像度変換を優先的に実施することが設定されているか否かを判定する（Ｓ３５）。優先度情報に、映像再生装置３０において解像度変換を優先的に実施することが設定されている場合、記録媒体読取装置１におけるコンバータ１４４は、解像度変換を実施せず、ＨＤＭＩ送信部２０１へ映像再生情報を出力する（Ｓ３６）。
【００６３】
また、ステップＳ３３において、記録媒体読取装置１の制御部１４５によりＥＤＩＤのＶＳＤＢに優先度情報が設定されていないと判定された場合、又は、ステップＳ３５において、映像再生装置３０において優先的に解像度変換を実施することが設定されていないと判定された場合、ステップＳ３７以降の処理を実行する。ステップＳ３７及びＳ３８は、図７におけるステップＳ１７及びＳ１８と同様であるため、説明を省略する。
【００６４】
以上説明したように、本発明の実施の形態２における記録媒体読取装置１及び映像再生装置３０を用いることにより、映像再生装置３０のコンバータが、記録媒体読取装置１のコンバータよりも性能が上回っている場合、映像再生装置３０のコンバータを用いて解像度変換を行うことにより、高品質な映像を再生することができる。
【００６５】
なお、本発明は上記実施の形態に限られたものではなく、趣旨を逸脱しない範囲で適宜変更することが可能である。
【符号の説明】
【００６６】
１  記録媒体読取装置
１０  映像変換装置
１２  データ取得部
１４  変換部
２０  送信部
３０  映像再生装置
３２  送信部
３４  ＥＤＩＤデータメモリ
３６  変換部
３８  再生部
４０  ＨＤＭＩケーブル
１２１  ＨＤＭＩ受信部
１４１  ドライブ部
１４２  デコーダ部
１４３  信号処理部
１４４  コンバータ
１４５  制御部
１４６  性能情報メモリ
１４７  解像度情報メモリ
１４８  比較部
２０１  ＨＤＭＩ送信部
３０１  アンテナ
３０２  チューナ部
３０３  復調部
３０４  信号処理部
３０５  混合部
３１０  ＯＳＤ信号処理部
３２１  コネクタ
３２２  ＨＤＭＩ送受信回路
３６１  信号処理部
３６２  制御部
３６３  混合部
３６４  コンバータ
３８１  セレクタ
３８２  表示部
【図１】
2011119828.tif 000003
【図２】
2011119828.tif 000004
【図３】
2011119828.tif 000005
【図４】
2011119828.tif 000006
【図５】
2011119828.tif 000007
【図６】
2011119828.tif 000008
【図７】
2011119828.tif 000009
【図８】
2011119828.tif 000010
【図９】
2011119828.tif 000011
【図１０】
2011119828.tif 000012